(57)【要約】【課題】  電子レンジの調理室に照射される電子波が外部に漏洩することを効果的に防止できると共に、マイクロ波の入射角に関係なく同一の最適遮蔽周波数を有するだけでなく、ドアの掃除がしやすい、改善された構造のドアアセンブリを提供すること。【解決手段】  調理室を開閉するドアフレームと、前記ドアフレームの一面に取り付けられるフィルタープレート、前記フィルタープレートの周縁面から前記調理室の反対側に折り曲げられたチョーク部、前記チョーク部の幅方向に形成された第１スロット、及び前記チョーク部の長さ方向に形成された第２スロットを有するドアフィルターと、を具備している。【選択図】      図６
2005090942.tif 000002
【特許請求の範囲】
【請求項１】
調理室を開閉するドアフレームと、
前記ドアフレームの一面に取り付けられるフィルタープレート、前記フィルタープレートの周縁面から前記調理室の反対側に折り曲げられたチョーク部、前記チョーク部の幅方向に形成された第１スロット、及び前記チョーク部の長さ方向に形成された第２スロットを有するドアフィルターとを具備する電子レンジのドアアセンブリ。
【請求項２】
前記チョーク部は、前記ドアフレームから所定の間隔離隔している請求項１記載の電子レンジのドアアセンブリ。
【請求項３】
前記第１及び第２スロットは、前記チョーク部の長さ方向に沿って同じ間隔で多数個が配置される請求項１記載の電子レンジのドアアセンブリ。
【請求項４】
前記チョーク部は、前記フィルタープレートに垂直に折り曲げられている請求項１記載の電子レンジのドアアセンブリ。
【請求項５】
前記第１スロットは、前記フィルタープレートの周縁面の端部に垂直な方向に沿って形成され、
前記第２スロットは、前記フィルタープレートの周縁面の端部と水平な方向に沿って形成される請求項１記載の電子レンジのドアアセンブリ。
【請求項６】
前記第１スロットは、前記フィルタープレートの周縁面と所定の間隔離隔した地点から前記チョーク部の端部まで形成される請求項５記載の電子レンジのドアアセンブリ。
【請求項７】
前記第１スロットの長さは、前記調理室内に照射されるマイクロ波の波長（λ）の１/４である請求項５記載の電子レンジのドアアセンブリ。
【請求項８】
前記第２スロットは、前記第１スロットと前記フィルタープレートの周縁面の端部との間に形成される請求項５記載の電子レンジのドアアセンブリ。
【請求項９】
前記第１スロットの一端部は、前記第２スロットの中間部分に連結される請求項８記載の電子レンジのドアアセンブリ。
【請求項１０】
前記第１スロットの一端部は、前記第２スロットの一端部に連結される請求項８記載の電子レンジのドアアセンブリ。
【請求項１１】
前記第２スロットの一端部は、前記第１スロットの中間部分に連結される請求項５記載の電子レンジのドアアセンブリ。
【請求項１２】
前記第１スロットと第２スロットとは互いに交差する請求項５記載の電子レンジのドアアセンブリ。
【発明の詳細な説明】
【技術分野】
【０００１】
本発明は電子レンジに関し、特に電子レンジの調理室に照射される電子波が外部に漏洩することを効果的に防止できるドアアセンブリに関する。
【背景技術】
【０００２】
一般に、電子レンジは、マイクロ波を飲食物に照射して、飲食物内の分子を振動させる時に発生する摩擦熱を用いて飲食物を解凍したり加熱したりする機器である。そして、最近は、多様な種類の飲食物を調理可能なように、電子レンジの調理室内にヒータなどがさらに提供された電気オーブンも使用されている。
【０００３】
以下では、一般的な電子レンジ、及び電気オーブンの構造について添付の図面を参照にして詳細に説明する。
【０００４】
図１を参照すると、前記電子レンジ、または電気オーブンには前面が開放されたアウターケース１０が提供され、前記アウターケース１０の開放された前面の周縁には前面フレーム１１が備えられる。前記アウターケース１０内には前面に開口部を有したインナーケース２０が提供され、前記インナーケース２０の内部は飲食物を調理する空間となる。一方、前記前面フレーム１１には前記開口部を開閉するドア３０がヒンジ結合される。
【０００５】
前記インナーケース２０にはヒータ４４と送風ファン４６が設置されるが、前記ヒータ４４と送風ファン４６は、インナーケース２０の上下面、または側面に設置されえる。このようなヒータ４４は、前記調理室２５を加熱し、前記送風ファン４６は、前記調理室２５内に循環気流を形成する。したがって、前記調理室２５内に収納された飲食物は、前記ヒータ４４から発生した輻射熱によって加熱されるばかりでなく、送風ファン４６によって調理室２５の内部を循環する熱い空気によっても加熱される。
【０００６】
前記アウターケース１０と、インナーケース２０との間の空間には電装室４０が提供される。ここで、前記電装室４０には、マイクロ波を生成するマグネトロン４１、前記マグネトロンに高電圧を供給する高電圧変圧器４２、前記マグネトロン４１によって発生したマイクロ波を前記調理室２５内に案内する導波管４３、前記電装室４０の内部に設置される各種の電気部品を冷却させる冷却ファン４４、などが設置される。このような前記電装室４０は、図１に示すように、前記調理室２５の上部に位置するか、図２に示すように、前記調理室２５の側面に位置する。
【０００７】
上記のような構造を有する電子レンジ、または電気オーブンにおいて、前記調理室２５に飲食物を入れ、ドア３０を閉めた状態で調理を始めると、前記マグネトロン４１によって生成されたマイクロ波が調理室２５内に照射される。調理室２５に照射されたマイクロ波の一部は直接前記飲食物に到達し（進行波）、一部は前記インナーケース２０の内面によって反射された後、前記飲食物に到達する（反射波）。したがって、前記電子レンジ、または電気オーブンは、前記進行波と、前記反射波とが合成されたマルチ波長のマイクロ波を用いて、飲食物を均一に加熱する。勿論、必要な場合、前記飲食物を調理するために、ヒータ４４と、送風ファン４６とが使用される。
【０００８】
ところが、前記調理室２５に照射されるマイクロ波が外部に漏洩し、人体に直接照射される場合には非常に危険である。したがって、前記調理室２５を開閉するドア３０は、一般にマイクロ波の漏洩を防止する構造が要求されるが、以下では図３乃至図４を参照にしてこれについて説明する。
【０００９】
図３及び図４を参照すると、前記ドア３０は、外観をなすドアチャンネル３１、及び、前記ドア３０の内側面に取り付けられ、マイクロ波を遮蔽するドアフィルター３５を備えている。ここで、前記ドアパネル３１の周縁部３１ａは、図３に示すように、前記ドア３０が閉まった時、前記前面フレーム１１と接触して、前記調理室２５を密閉する。そして、前記ドアフィルター３５の周縁部には、図４に示すように、前記ドア３０の外側面側に折り曲げられたチョーク部３５ａが提供される。前記チョーク部３５ａには多数個のリニアスロット３５ｂが形成されるが、前記スロット３５ｂは、前記チョーク部３５ａの長さ方向に沿って一定の間隔で形成される。上記の構造を有するドアフィルター３５のチョーク部３５ａは、ドア３０の隙間を介して外部に漏洩するマイクロ波を遮蔽することで、前記調理室２５内の加熱性能を向上させ、かつ製品の安定性を保障する。
【発明の開示】
【発明が解決しようとする課題】
【００１０】
しかしながら、上記の構造を有するドアフィルター３５には次のような問題点がある。
【００１１】
第一に、前記チョーク部３５ａは、マイクロ波の前記ドア３０への入射角に伴って最適遮蔽周波数が変わるので、前記マイクロ波の遮蔽性能が減少するという問題がある。これをより詳細に説明すると次の通りである。
【００１２】
図５を参照すると、前記直線型スロット３５ｂを有するチョーク部３５ａが備えられたドアフィルター３５では、マイクロ波の入射角がそれぞれ１５．６°、２１．９°、そして、３５．６°の時、共振点がおよそ１２５ｄＢ、１２０ｄＢ、そして、９０ｄＢであることが分かる。
【００１３】
そして、前記各入射角に共振点をもたらす周波数はそれぞれ、２．５ＧＨＺ、２．５５ＧＨｚ、そして２．５９ＧＨｚであり、互いに異なることが分かる。ここで、前記共振点をもたらす周波数を最適遮蔽周波数といい、このような最適遮蔽周波数で遮蔽性能が最も高くなる。
【００１４】
したがって、上記のように従来のドアフィルター３５では、前記マイクロ波の入射角によって最適遮蔽周波数が変わるので、前記ドア３０へのマイクロ波の入射角が変わる毎にチョーク部３５ａからマイクロ波が漏洩する。これにより、ドアフィルター３５のマイクロ波の遮蔽性能が落ちて、製品の安定性が低下するという問題がある。
【００１５】
第二に、前記スロット３５ｂを前記チョーク部３５ａばかりでなく、調理室２５と接するドアフィルター３５の一部分まで延長すると、前記最適遮蔽周波数の入射角に伴う変動を減少させえる。しかし、この場合、前記調理室２５で調理される飲食物から発生した蒸気、及び水分などが前記スロット３５ｂに入り込み、ドア３０の掃除が容易ではない。
【００１６】
そこで、本発明の目的は、マイクロ波の入射角が変化しても最適遮蔽周波数が変わらない、改善された構造のドアアセンブリを提供することにある。
【００１７】
他の目的は、マイクロ波の入射角に関係なく同一の最適遮蔽周波数を有するだけでなく、ドアの掃除がしやすい、改善された構造のドアアセンブリを提供することにある。
【課題を解決するための手段】
【００１８】
上記目的を達成するための本発明による電子レンジのドアアセンブリは、調理室を開閉するドアフレームと、前記ドアフレームの一面に取り付けられるフィルタープレート、前記フィルタープレートの周縁面から前記調理室の反対側に折り曲げられたチョーク部、前記チョーク部の幅方向に形成された第１スロット、及び前記チョーク部の長さ方向に形成された第２スロットを有するドアフィルターとを具備している。
【００１９】
前記チョーク部は、前記ドアフレームから所定の間隔離隔している。
【００２０】
前記第１及び第２スロットは、前記チョーク部の長さ方向に沿って同じ間隔で多数個が配置される。
【００２１】
前記チョーク部は、前記フィルタープレートに垂直に折り曲げられる。
【００２２】
前記第１スロットは、前記フィルタープレートの周縁面の端部に垂直な方向に沿って形成され、前記第２スロットは、前記フィルタープレートの周縁面の端部と水平な方向に沿って形成される。
【００２３】
前記第１スロットは、前記フィルタープレートの周縁面と所定の間隔離隔した地点から前記チョーク部の端部まで形成される。
【００２４】
前記第１スロットの長さは、前記調理室内に照射されるマイクロ波の波長（λ）の１/４である。
【００２５】
前記第２スロットは、前記第１スロットと前記フィルタープレートの周縁面の端部との間に形成される。この場合、前記第１スロットの一端部は、前記第２スロットの中間部分に連結されるか、前記第１スロットの一端部は、前記第２スロットの一端部に連結される。
【００２６】
前記第２スロットの一端部は、前記第１スロットの中間部分に連結される。
【００２７】
前記第１スロットと第２スロットとは互いに交差する。
【発明の効果】
【００２８】
本発明の電子レンジ、及び電気オーブンのドアアセンブリによれば、前記ドアアセンブリに入射されるマイクロ波の入射角に関係なく、同一の最適遮蔽周波数を維持できる。したがって、前記ドアアセンブリのマイクロ波遮蔽性能を向上させえる効果がある。
また、前記ドアアセンブリの掃除が容易となり、清潔に使える。
【発明を実施するための最良の形態】
【００２９】
以下、本発明の好ましい実施形態を添付図面に基づいて詳細に説明する。
【００３０】
本発明によるドアアセンブリは、マイクロ波を用いて調理室内の飲食物を加熱する全ての形態の電子レンジ、及び電気オーブンに適用可能である。このような電子レンジ、及び電気オーブンの全体的な構造は、図１及び図２におけるものと類似する。したがって、以下では、電子レンジ、及び電気オーブンの全体的な構造については省略し、本発明によるドアアセンブリに関してのみ説明する。
【００３１】
本発明によるドアアセンブリは、電子レンジ、及び電気オーブン内に提供される調理室（図示せず）を開閉するように提供され、図６及び図９に示すように、ドアフレーム１００と、ドアフィルター２００とを備えている。
【００３２】
ここで、前記ドアフレーム１００は、前記電子レンジ、または電気オーブンの一方にヒンジ結合される。前記ドアフレーム１００は、前記ドアアセンブリが閉まった時、その周縁部が前記電子レンジ、及び電気オーブンの前面フレーム（図１乃至図３参照）に接触し、前記調理室を密閉する。そして、前記ドアフィルター２００は、前記ドアフレーム１００に取り付けられ、前記調理室内に照射されるマイクロ波が外部に漏洩することを遮断する。以下では、前記ドアフィルター２００についてより詳細に説明する。
【００３３】
図６乃至図９を参照すると、前記ドアフィルター２００は、フィルタープレート２１０と、チョーク部２２０とを備えている。前記フィルタープレート２１０は、前記ドアフレーム１００の一面、より詳細には、前記調理室と向き合う面に取り付けられる。このようなフィルタープレート２１０は、前記調理室内に照射された後、前記ドアフレーム１００に入射されるマイクロ波が外部に漏洩することを防止する。
【００３４】
一方、前記電子レンジ、及び電気オーブンは、外部から調理室を見られるように構成されることもある。この場合、図示してはいないが、前記ドアフレーム１００の大略中央には開口部が提供され、前記フィルタープレート２１０のうち前記開口部をカバーする部分には、多数個のホールのある多空部が形成される。勿論、前記開口部にはガラスが提供される。このような構造を有すると、前記多空部がマイクロ波の漏洩を遮断するので、ユーザは安全に前記開口部を介して調理室の内部を観察できる。
【００３５】
前記チョーク部２２０は、前記フィルタープレート２１０の縁面から前記調理室の反対側に折り曲げられ、その折り曲げられる角度は、図６乃至図９に示すように、前記フィルタープレート２１０に大略垂直なことが好ましい。
上記のように形成されたチョーク部２２０は、前記ドアフレーム１００に密着させるよりは、前記ドアフレーム１００と所定の間隔離隔することが好ましい。
【００３６】
上記のように構成されたチョーク部２２０には、第１スロット２２１と第２スロット２２２とを備えるスロット２２５が多数個提供される。ここで、前記スロット２２５は、前記チョーク部２２０の長さ方向に沿って同じ間隔で配置される。以下では、前記スロット２２５についてより詳細に説明する。
【００３７】
前記第１スロット２２１は、前記チョーク部２２０の幅方向に、つまり、図６乃至図９に示すように、前記フィルタープレート２１０の周縁の端部に垂直な方向に沿って形成される。そして、前記第２スロット２２２は、前記チョーク部２２０の長さ方向に、つまり、図６乃至図９に示すように、前記フィルタープレート２１０の周縁の端部と水平な方向に沿って形成される。ここで、前記第１スロット２２１は、前記図面に示すように、前記フィルタープレート２１０の周縁面と所定の間隔離隔した地点から前記チョーク部２２０の端部まで長く形成される。
【００３８】
このような第１スロット２２１の長さは、前記調理室内に照射されるマイクロ波の波長（λ）のおよそ１／４程度であるのが好ましい。しかしながら、前記スロット２２５の間隔はこれに限らず、最適遮蔽周波数の特性に従って少しずつ変更されえることも理解することができる。
【００３９】
一方、前記第１スロット２２１と第２スロット２２２とは、互いに直交するように配置され、本発明によるドアアセンブリは、前記第１スロット２２１と、第２スロット２２２とが直交する形態に従って多数個の実施形態に分けられえる。以下では、本発明によるドアアセンブリの各実施形態を図面に基づいて簡単に説明する。
【００４０】
まず、前記第２スロット２２２は、前記第１スロット２２１と、前記フィルタープレート２１０の周縁の端部との間に形成されえる。このような実施形態は、図６及び図７にそれぞれ示す。図６には、前記第１スロット２２１の一端部が前記第２スロット２２２の中間部分に連結された構造を有した、言い替えれば、前記スロット２２５が“Ｔ”字状からなる本発明の第１実施形態が示されている。図７には、前記第１スロット２２１の一端部が前記第２スロット２２２の一端部に連結された構造を有した、言い替えれば、前記スロット２２５が“Ｌ”字状からなる本発明の第２実施形態が示されている。
【００４１】
次に、図８には、前記第２スロット２２２の一端部が前記第１スロット２２１の中間部分に連結された構造を有した、本発明の第３実施形態が図示されており、図９には、前記第１スロット２２１と、第２スロット２２２とが互いに交差した構造を有した、言い替えれば、前記スロット２２５が“＋”状からなる本発明の第４実施形態が示されている。
【００４２】
上記のように、本発明によるドアアセンブリにおいて、前記スロット２２５は、単純な直線状からなる従来のスロットとは異なり、前記第１スロット２２１と、第２スロット２２２とが互いに直交する形態からなる。
【００４３】
以下では、かかる構造を有する本発明によるドアアセンブリの作用について簡単に説明する。
【００４４】
まず、前記調理室に照射されたマイクロ波は、前記調理室内に収納された飲食物に直接入射されるか、前記調理室の側壁面に反射された後、前記飲食物に入射される。これにより、前記調理室内に収納された飲食物は、多様な角度から照射されるマイクロ波によって均一に加熱される。
【００４５】
この際、前記調理室に照射されたり、調理室の側壁面から反射されたりするマイクロ波の一部は、前記ドアアセンブリ側に入射される。このように、前記ドアアセンブリに入射されたマイクロ波は、前記ドアフィルター２００によって完全に遮蔽されるので、外部に漏洩しない。
そして、前記フィルタープレート２１０の周縁面に沿って移動するマイクロ波は、前記第１スロット２２１と、第２スロット２２２とが直交する形態からなるスロット２２５によって完全に遮蔽され、外部に漏洩しない。
【００４６】
前記スロット２２５は、前記チョーク部２２０の長さ方向に平行した部分、つまり、第２スロット２２２と前記チョーク部２２０の長さ方向に垂直な部分、つまり、第１スロット２２１を共に有している。したがって、前記ドアアセンブリに入射されるマイクロ波の入射角が変わっても、最適遮蔽周波数は変わらず、以下ではこれについて図１０を参照にして簡単に説明する。ここで、図１０は、本発明によるドアフィルターのマイクロ波遮蔽特性を示すグラフである。
【００４７】
図１０を参照すると、前記本発明によるスロット２２５を有するチョーク部２２０が備えられたドアアセンブリでは、マイクロ波の入射角がそれぞれ１５．６°、２１．９°、そして、３５．６°である時、共振点が形成される周波数は、およそ２．４５ＧＨｚに全て同一であることが分かる。これは、前記ドアアセンブリに入射されるマイクロ波の入射角に伴って最適遮蔽周波数が変わらないことを意味する。
【００４８】
したがって、前記調理室内に照射されるマイクロ波の周波数をおよそ２．４５ＧＨｚにすると、本発明によるドアアセンブリは、マイクロ波の入射角に関係なく、常に高いマイクロ波遮蔽効果が得られる。
【００４９】
また、図６乃至図９に示すように、スロット２２５が前記フィルタープレート２１０まで延長されないので、前記ドアアセンブリが閉まった時、前記スロット２２５は、前記調理室側に露出されない。したがって、調理室内で調理される飲食物で発生する水分、及び蒸気などが前記スロット２２５内に染み込まず、ドアアセンブリの掃除が容易となるので、清潔を維持することができる。
【図面の簡単な説明】
【００５０】
【図１】一般的な電気オーブンを簡略に示す斜視図である。
【図２】一般的な電子レンジを簡略に示す斜視図である。
【図３】図１のインナーケースとドアアセンブリとを簡略に示す断面図である。
【図４】図３のドアアセンブリを示す斜視図である。
【図５】図４のドアアセンブリのマイクロ波遮蔽特性を示すグラフである。
【図６】本発明によるドアアセンブリの第１実施形態を示す斜視図である。
【図７】本発明によるドアアセンブリの第２実施形態を示す斜視図である。
【図８】本発明によるドアアセンブリの第３実施形態を示す斜視図である。
【図９】本発明によるドアアセンブリの第４実施形態を示す斜視図である。
【図１０】本発明によるドアアセンブリのマイクロ波遮蔽特性を示すグラフである。
【符号の説明】
【００５１】
１００…ドアフレーム
２００…ドアフィルター
２１０…フィルタープレート
２２０…チョーク部
２２１…第１スロット
２２２…第２スロット
２２５…スロット
【図１】
2005090942.tif 000003
【図２】
2005090942.tif 000004
【図３】
2005090942.tif 000005
【図４】
2005090942.tif 000006
【図５】
2005090942.tif 000007
【図６】
2005090942.tif 000008
【図７】
2005090942.tif 000009
【図８】
2005090942.tif 000010
【図９】
2005090942.tif 000011
【図１０】
2005090942.tif 000012